(57)【要約】    システム（１０）は、表示パネル（３０）および制御装置（４０）を備える。表示パネル（３０）は、棚に設置される。制御装置（４０）は、表示パネル（３０）の表示内容を制御する。制御装置（４０）は、店員向けの表示内容と顧客向けの表示内容とを切り替えて表示パネル（３０）に表示させる。顧客向けの表示内容はたとえば一以上の値札情報を含む。店員向けの表示内容は、たとえば棚における商品の配置の変更を示す変更情報を含む。
2020121828.tif 000002
【特許請求の範囲】
【請求項１】
棚に設置される表示パネルと、
前記表示パネルの表示内容を制御する制御装置とを備え、
前記制御装置は、店員向けの表示内容と顧客向けの表示内容とを切り替えて前記表示パネルに表示させるシステム。
【請求項２】
請求項１に記載のシステムにおいて、
前記店員向けの表示内容は、前記棚における商品の配置の変更を示す変更情報を含むシステム。
【請求項３】
請求項２に記載のシステムにおいて、
前記制御装置は、前記商品の配置の変更前の第１陳列データと、前記商品の配置の変更後の第２陳列データとに基づいて、前記店員向けの表示内容を示す表示データを生成するシステム。
【請求項４】
請求項２または３に記載のシステムにおいて、
前記制御装置は、前記店員の作業内容が切り替わることを示す切り替え情報に基づいて前記変更情報を切り替えるシステム。
【請求項５】
請求項４に記載のシステムにおいて、
前記切り替え情報は、店員用端末への入力に基づく情報であるシステム。
【請求項６】
請求項４に記載のシステムにおいて、
前記商品には無線通信タグが取り付けられており、
前記棚には前記無線通信タグの読み取り手段が設けられており、
前記切り替え情報は、前記読み取り手段の読み取り結果に基づく情報であるシステム。
【請求項７】
請求項４から６のいずれか一項に記載のシステムにおいて、
前記制御装置は、前記作業内容の種類に基づいて、前記店員向けの表示内容の少なくとも一部の色を切り替えるシステム。
【請求項８】
請求項１から７のいずれか一項に記載のシステムにおいて、
前記制御装置は、店員用端末への入力に基づいて、前記店員向けの表示内容と前記顧客向けの表示内容とを切り替えるシステム。
【請求項９】
請求項１から８のいずれか一項に記載のシステムにおいて、
前記顧客向けの表示内容は一以上の値札情報を含むシステム。
【請求項１０】
請求項９に記載のシステムにおいて、
前記表示パネルの長辺の長さは、前記表示パネルの短辺の長さの２倍以上であり、
前記制御装置は、前記棚の陳列データを用いて前記表示パネルにおける各前記値札情報の表示領域を決定するシステム。
【請求項１１】
棚に設置される表示パネルの表示内容を制御する制御装置であって、
店員向けの表示内容と顧客向けの表示内容とを切り替えて前記表示パネルに表示させる制御装置。
【請求項１２】
棚に設置される表示パネルの表示内容を制御する制御装置を実現するためのコンピュータプログラムであって、
コンピュータを、店員向けの表示内容と顧客向けの表示内容とを切り替えて前記表示パネルに表示させる前記制御装置として機能させるコンピュータプログラム。
【請求項１３】
棚に設置される表示パネルの表示内容を制御する制御方法であって、
コンピュータが、店員向けの表示内容と顧客向けの表示内容とを切り替えて前記表示パネルに表示させる制御方法。
【発明の詳細な説明】
【技術分野】
【０００１】
本発明はシステム、制御装置、制御方法、およびコンピュータプログラムに関する。
【背景技術】
【０００２】
電子棚札は、サーバーとの間で送受信を行うことで、表示内容を変更することができる。【０００３】
特許文献１には、陳列棚に陳列されている商品種別毎に設けられる電子棚札が記載されている。特許文献１の技術では、全ての電子棚札に異なる棚札管理番号が付与されている。そして、棚札管理番号によって商品が特定され、その商品の在庫状況が表示に表示される。
【先行技術文献】
【特許文献】
【０００４】
【特許文献１】特開２０１６−１７７７４４号公報
【発明の概要】
【発明が解決しようとする課題】
【０００５】
しかし特許文献１の技術では、商品の陳列変更に手間がかかった。たとえば、特許文献１では、商品種別毎に電子棚札が設けられるため、店員は各商品の陳列位置に合わせて電子棚札を動かしたり付け替えたりしなければならなかった。【０００６】
本発明は、上記の課題に鑑みてなされたものである。本発明の目的は、商品の陳列変更の際の手間を軽減する技術を提供することにある。
【課題を解決するための手段】
【０００７】
本発明のシステムは、
棚に設置される表示パネルと、
前記表示パネルの表示内容を制御する制御装置とを備え、
前記制御装置は、店員向けの表示内容と顧客向けの表示内容とを切り替えて前記表示パネルに表示させる。【０００８】
本発明の制御装置は、
棚に設置される表示パネルの表示内容を制御する制御装置であって、
店員向けの表示内容と顧客向けの表示内容とを切り替えて前記表示パネルに表示させる。【０００９】
本発明のプログラムは、
棚に設置される表示パネルの表示内容を制御する制御装置を実現するためのコンピュータプログラムであって、
コンピュータを、店員向けの表示内容と顧客向けの表示内容とを切り替えて前記表示パネルに表示させる前記制御装置として機能させる。【００１０】
本発明の制御方法は、
棚に設置される表示パネルの表示内容を制御する制御方法であって、
コンピュータが、店員向けの表示内容と顧客向けの表示内容とを切り替えて前記表示パネルに表示させる。
【発明の効果】
【００１１】
本発明によれば、商品の陳列変更の際の手間を軽減できる。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】第１の実施形態に係るシステムの構成を例示する図である。
【図２】第１の実施形態に係る表示パネルの使用環境および表示内容を例示する図である。
【図３】複数の棚を備える陳列什器を例示する図である。
【図４】複数の棚を備える陳列什器を例示する図である。
【図５】第１の実施形態に係る制御装置の構成を例示する図である。
【図６】第１の実施形態に係る商品情報の構成を例示する図である。
【図７】第１の実施形態に係る陳列データの構成を例示する図である。
【図８】図６の商品情報および図７の陳列データに基づく商品の配置を示す図である。
【図９】図８における各商品の表示の凡例を示す図である。
【図１０】図６の商品情報および図７の陳列データに基づいて値札情報が表示された表示パネルを例示する図である。
【図１１】制御装置を実現するための計算機を例示する図である。
【図１２】第２の実施形態に係る制御装置の構成を例示する図である。
【図１３】第１の処理例で生成される陳列データの構成を例示する図である。
【図１４】フェースを縮小する場合の操作画面を例示する図である。
【図１５】図１４の商品配置に対応する陳列データの構成を例示する図である。
【図１６】フェースを拡大する場合の操作画面を例示する図である。
【図１７】図１６の商品配置に対応する陳列データの構成を例示する図である。
【図１８】商品の削除をする場合の操作画面を例示する図である。
【図１９】図１８の商品配置に対応する陳列データの構成を例示する図である。
【図２０】商品を挿入する場合の操作画面を例示する図である。
【図２１】図２０の商品配置に対応する陳列データの構成を例示する図である。
【図２２】第３の実施形態に係るシステムの構成を例示する図である。
【図２３】表示パネルの表示内容を切り替えるための店員用端末の表示画面を例示する図である。
【図２４】第２陳列データの構成を例示する図である。
【図２５】図２４の陳列データに基づく商品の配置を示す図である。
【図２６】店員向け表示内容を表示パネルに表示させるために表示データ生成手段が行う処理を例示するフローチャートである。
【図２７】商品を取り出すことを示す変更情報が表示された表示パネルを例示する図である。
【図２８】切り替え情報を制御装置に送信するための店員用端末の表示画面である。
【図２９】商品のフェースを縮小することを示す変更情報が表示された表示パネルを例示する図である。
【図３０】商品のフェースを縮小することを示す変更情報が表示された表示パネルを例示する図である。
【図３１】商品を同じ棚内で移動させることを示す変更情報が表示された表示パネルを例示する図である。
【図３２】商品を異なる棚へ移動させることを示す変更情報が表示された表示パネルを例示する図である。
【図３３】商品のフェースを拡大することを示す変更情報が表示された表示パネルを例示する図である。
【図３４】商品を導入することを示す変更情報が表示された表示パネルを例示する図である。
【図３５】陳列変更後の顧客向け表示内容を例示する図である。
【図３６】第４の実施形態に係るシステムの構成を例示する図である。
【図３７】第４の実施形態に係る表示パネルの使用環境および表示内容を例示する図である。
【図３８】警告が表示された表示パネルを例示する図である。
【図３９】陳列期限を管理するための店員用端末の表示画面を例示する図である。
【図４０】商品の取り出しを促す表示がされた表示パネルを例示する図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
（第１の実施形態）
図１は、第１の実施形態に係るシステム１０の構成を例示する図である。図２は、第１の実施形態に係る表示パネル３０の使用環境および表示内容を例示する図である。本実施形態に係るシステム１０は、表示パネル３０および制御装置４０を備える。表示パネル３０は、棚２０に設置される。制御装置４０は、表示パネル３０の表示内容を制御する。そして、制御装置４０は、棚２０の陳列データを用いて表示パネル３０における各値札情報の表示領域３１０を決定する。以下に詳しく説明する。
【００１６】
棚２０はたとえばスーパーやコンビニエンスストア等の店舗に設置されている。店舗では、商品２１０が棚２０に配置されることにより、商品２１０が顧客に対して陳列される。たとえば棚２０を正面から見て、手前から奥方向に同一商品が並べられる。ただし、棚２０を正面から見て、上下方向に同一商品が積み上げられても良いし、商品２１０は他の方法で陳列されても良い。表示パネル３０は液晶、有機ＥＬ、または電子ペーパー等のディスプレイであり、少なくとも一時的に商品２１０の値札情報が表示される。そして顧客は、この値札情報を確認して商品２１０を購入することができる。
【００１７】
棚２０は陳列什器の一部であり得る。陳列什器としてはワゴンおよびラック等が挙げられる。陳列什器には複数の棚２０が含まれても良い。その場合、陳列什器の全ての棚２０のそれぞれに表示パネル３０を設置しても良いし、一部の棚２０のみに表示パネル３０を設置しても良い。なお、棚２０は、陳列什器に設けられているものに限らない。棚２０はたとえば壁に作り付けられていてもよい。
【００１８】
図３および図４は、複数の棚２０を備える陳列什器２２０を例示する図である。図３は、陳列什器２２０を正面から見た状態を示しており、図４は、陳列什器２２０を横から見た状態を示している。このような陳列什器２２０を用いて商品を陳列することができる。本図の例において陳列什器２２０は、背板２２１と複数の棚２０を備える。図４に示す様に、背板２２１には各棚２０の端部が接続されている。そして、各棚２０の背板２２１側とは反対側の端部には表示パネル３０が取り付けられている。表示パネル３０の表示面３０１は、背板２２１側とは反対側に向いている。
【００１９】
表示面３０１側から見て、表示パネル３０はたとえば長方形をしている。表示パネル３０の長辺の長さｗ１は、たとえば表示パネル３０の短辺の長さｗ２の２倍以上であり、好ましくは５倍以上である。本図の例において表示パネル３０は、その長辺方向が、棚２０の商品配置面２０１と平行になるように、棚２０に取り付けられている。一つの棚２０に対しては、一つの表示パネル３０が設置されることが好ましい。そうすれば、棚２０の広い範囲にわたり、より自由に各商品の表示領域３１０を設けることができる。一つの棚２０に対し一つの表示パネル３０が設置される場合、表示パネル３０の長辺の長さｗ１は、正面から見た棚２０の水平方向の幅ｗｓの０．５倍以上であることが好ましく、０．８倍以上であることがより好ましい。一例として、ｗｓ＝９０ｃｍの幅の棚２０に対し、ｗ１が約９０ｃｍ（たとえば８５ｃｍ以上９５ｃｍ以下）の表示パネル３０を設置する。ただし、一つの棚２０には複数の表示パネル３０が設置されても良い。たとえば、ｗｓ＝９０ｃｍの幅の棚２０に対し、ｗ１が約４５ｃｍ（たとえば４０ｃｍ以上５０ｃｍ以下）の表示パネル３０を並べて２枚設置したり、ｗ１が約３０ｃｍ（たとえば２５ｃｍ以上３５ｃｍ以下）の表示パネル３０を並べて３枚設置したりしてもよい。
【００２０】
本実施形態では、表示面３０１に複数の表示領域３１０を設ける様に表示がされることにより、一つの表示パネル３０が複数の棚札として機能する。したがって、商品の種類の数に対し、用いる表示パネル３０の数を少なくすることができる。ひいては、表示パネル３０の設置作業を容易にすることができる。また、表示パネル３０の数が少ないことで、表示パネル３０のメンテナンス作業も容易となる。表示パネル３０は、常用電源等、電池以外の電源で駆動されてもよい。この場合、電池交換の手間が省ける。ただし、表示パネル３０は、電池で駆動されてもよい。たとえば表示パネル３０が電子ペーパーを用いる場合、月単位以上の駆動時間を確保可能であり、電池交換の頻度が抑えられる。
【００２１】
店舗には複数の陳列什器２２０が配置される。各表示パネル３０には、その表示パネル３０が取り付けられた陳列什器２２０を識別する陳列什器識別情報と棚２０を識別する棚識別情報とが紐づけられている。たとえば、陳列什器２２０に含まれる複数の棚２０を上から順にナンバリングし、そのナンバーを各棚２０の棚識別情報とすることができる。
【００２２】
上記した通り、制御装置４０は、棚２０の陳列データを用いて表示パネル３０における値札情報のそれぞれの表示領域３１０を決定する。表示パネル３０の表示面３０１には、商品の種類毎、すなわち後述する商品コード毎に、表示領域３１０を設けることができる。
【００２３】
ここで、図２に示すように、表示パネル３０のうち、その表示パネル３０が設置された棚２０に陳列された商品２１０の位置に対応する位置に、その商品２１０の表示領域３１０が設けられる。そして、各表示領域３１０内に値札情報が表示される。また、表示パネル３０には、商品２１０の陳列幅に対応する幅で、その商品２１０の表示領域３１０が設けられる。このようにして、表示パネル３０には、棚２０に陳列された複数の商品２１０の値札情報が、見やすい位置および幅で表示される。なお、ここで、商品２１０の陳列幅および表示領域３１０の幅とは、棚２０の正面から見て商品配置面２０１に平行な方向の幅である。また、商品２１０の位置および表示領域３１０の位置とは、棚２０の正面から見て商品配置面２０１に平行な方向の位置である。
【００２４】
図２の例では、各値札情報の表示領域３１０を区画する枠が表示面３０１に表示されている。こうすることにより、表示パネル３０を見た顧客は、棚２０に陳列された商品２１０と値札情報との対応をより把握しやすくなる。
【００２５】
棚２０では、同じ商品２１０が複数列で陳列されることがある。この列の数をその商品２１０のフェース数と呼ぶ。たとえば、表示パネル３０における表示領域３１０の幅は、その商品２１０のフェース数に基づいて定められる。具体的には、表示領域３１０の幅は商品２１０の幅と、フェース数との積に基づき決定される。図２の例において、表示領域３１０ａはフェース数が１である商品の表示領域３１０であり、表示領域３１０ｂは、フェース数が２である商品２１０ａの表示領域３１０である。
【００２６】
図５は、第１の実施形態に係る制御装置４０の構成を例示する図である。制御装置４０は、取得手段４１０、表示データ生成手段４５０および送信手段４７０を備える。取得手段４１０は、陳列データおよび商品情報を取得する。表示データ生成手段４５０は、陳列データおよび商品情報に基づき、一以上の表示パネル３０の表示データを生成する。そして、送信手段４７０は、表示データを各表示パネル３０に送信する。制御装置４０は、複数の表示パネル３０の表示内容を制御することができる。各機能構成部について、以下に詳しく説明する。
【００２７】
取得手段４１０は、棚２０の陳列データおよび商品情報を取得する。取得手段４１０は、これらのデータおよび情報を、制御装置４０の外部から取得することができる。ただし、取得手段４１０は、制御装置４０の内部または外部に設けられた記憶手段（たとえば後述するストレージデバイス１０８０）から読み出すことにより、予め準備された陳列データおよび商品情報を取得しても良い。陳列データは、少なくとも一の棚２０における商品の配置を示す。陳列データは、陳列什器２２０毎に構成されてもよい。商品情報は、少なくとも棚２０に配置される商品の商品名および価格を示す情報を含む。各商品には、商品コードが定められている。棚２０では、同じ商品コードの商品が同一列に配置される。陳列データおよび商品情報はいずれも商品コードを含んでおり、陳列データと商品情報との間で商品の対応づけが可能となっている。
【００２８】
図６は、第１の実施形態に係る商品情報の構成を例示する図である。本実施形態において、商品情報は、複数の商品のそれぞれについて、商品コード、商品カテゴリ、商品名、商品サイズ、および価格を含む。商品サイズとしては、商品の幅、高さ、および奥行きが含まれる。なお、本実施形態において、商品情報は商品カテゴリ、商品の高さ、および商品の奥行きの少なくともいずれかを含まなくても良い。
【００２９】
図７は、第１の実施形態に係る陳列データの構成を例示する図である。本実施形態において、陳列データは、複数の商品のそれぞれについて、陳列位置を示す情報、および商品コードを含む。本図の例において、陳列位置を示す情報は、陳列開始位置（本図中「陳列位置（ｆｒｏｍ）」）と陳列終了位置（本図中「陳列位置（ｔｏ）」）とを含む。陳列開始位置および陳列終了位置はそれぞれ、棚識別情報および列番号で表される。本図の例において具体的には、各位置は「棚識別情報−列番号」の形で表されている。たとえば、棚の左端から順にナンバリングしたときのナンバーを列番号とすることができる。本図の陳列データには、棚識別情報が「１」である棚２０と、「２」である棚２０における陳列の情報が含まれている。本図の例において、「１−１」は最上段の最も左の列を意味する。また、本図の例において、陳列開始位置が「１−１」であり陳列終了位置が「１−２」である商品のフェース数は２であることが分かる。一方、陳列開始位置と陳列終了位置とが同じである商品のフェース数は１である。すなわち、「フェース数」＝「陳列終了位置の列番号」−「陳列開始位置の列番号」＋１の関係が成り立つ。各陳列データには、陳列什器識別情報が対応づけられている。
【００３０】
図８は、図６の商品情報および図７の陳列データに基づく商品の配置を示す図である。図８において、各商品の情報は太線で囲われている。図９は、図８における各商品の表示の凡例を示す図である。なお、図９の凡例は、商品の配置を示す以下の各図に対しても適用される。図８における各商品の表示領域の幅および位置には、商品の陳列幅および位置がそれぞれ反映されている。本例において、商品は各棚２０において左寄せされており、余ったスペースは棚２０の右端で隙間とされている。ただし、隙間の取り方は本例に限定されない。たとえば、左端を隙間としても良いし、中央に商品が寄るよう、左右の両端に隙間を設けても良い。また、商品と商品の間に隙間を配置しても良い。図８は、棚識別情報が「１」である棚２０（上段）と、「２」である棚２０（下段）における商品の配置を示している。
【００３１】
表示データ生成手段４５０は、商品情報および陳列データに基づき、表示パネル３０における表示領域３１０の位置および幅を決定する。詳しくは、表示データ生成手段４５０は、上記した様に商品のフェース数を導出する。また、表示データ生成手段４５０は、商品コードを参照して、その商品の幅を商品情報から抽出する。そして表示データ生成手段４５０は、フェース数とその商品の幅との積を算出する。そして、表示データ生成手段４５０はその積に基づいてその商品の表示領域３１０の幅を決定する。ここで、算出された積をそのまま表示領域３１０の幅としても良いし、積に対して調整パラメータをさらに乗じたり加えたりして、表示領域３１０の幅としても良い。こうして、各商品の表示領域３１０の幅が決定される。
【００３２】
くわえて、表示データ生成手段４５０は、陳列データの棚識別情報に基づき、各商品の値札情報を表示する表示パネル３０を決定する。また、表示データ生成手段４５０は、陳列データの列番号に基づき、各表示パネル３０において複数の商品の値札情報を表示する順番を決定する。そして、表示データ生成手段４５０は各表示パネル３０に、決定された順番および幅で複数の表示領域３１０を設けるよう、表示データを生成する。表示領域３１０に表示される値札情報にはたとえば商品情報に基づく商品名および値段が含まれる。各表示データには、陳列什器識別情報および棚識別情報が関連づけられる。
【００３３】
送信手段４７０は、生成された表示データを表示パネル３０に送信する。各表示データは、その表示データに関連づけられた陳列什器識別情報および棚識別情報に基づいて、表示されるべき表示パネル３０で受信される。そして、受信された表示データに基づく表示内容が表示パネル３０に表示される。
【００３４】
図１０は、図６の商品情報および図７の陳列データに基づいて値札情報が表示された表示パネル３０を例示する図である。本図において、表示パネル３０ａは最上段の棚２０（棚識別情報が「１」）に設置された表示パネル３０を示し、表示パネル３０ｂは同一の陳列什器２２０において、上から二段目の棚２０（棚識別情報が「２」）に設置された表示パネル３０を示している。各表示領域３１０には、棚２０の対応する位置、具体的には各表示領域３１０のすぐ上部に陳列される商品の値札情報が表示されている。表示領域３１０にはさらに、「値引き中」、「新商品」、または「おすすめ」等のコメントが表示されても良い。また、表示領域３１０には商品の写真や説明等が表示されても良い。図１０では、表示パネル３０ａにおいて表示領域３１０が左詰されている例を示しているが、表示パネル３０において表示領域３１０はセンタリングされても良い。後述する図２７、図２９〜図３５、図３８、および図４０においても同様である。
【００３５】
このように、陳列データおよび商品情報に基づいて表示領域３１０が定められ、値札情報が表示される。したがって、陳列変更や価格変更の度に値札の付け替え作業を行う必要が無い。すなわち、店員の労力を減らすことができるとともに、値札の取り付け間違いや記載間違いを解消することができる。また、表示パネル３０の表示面３０１にわたり自由に表示領域３１０を設けることができる。したがって、複数のディスプレイで値札情報を表示する場合に比べて、商品の陳列自由度が増すと共に、見栄えも良くなる。
【００３６】
なお、店員は、何も配置されていない棚２０に対して商品を陳列する際に表示パネル３０に表示された値札情報を参考に作業することができる。そうすることで、店員の熟練度に寄らず、効率よく正確に商品を陳列することができる。
【００３７】
制御装置４０のハードウエア構成について以下に説明する。制御装置４０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、制御装置４０の各機能構成部がハードウエアとソフトウエアとの組み合わせで実現される場合について、さらに説明する。
【００３８】
図１１は、制御装置４０を実現するための計算機１０００を例示する図である。計算機１０００は任意の計算機である。例えば計算機１０００は、SoC（System On Chip）、Personal Computer（PC）、サーバマシン、タブレット端末、又はスマートフォンなどである。計算機１０００は、制御装置４０を実現するために設計された専用の計算機であってもよいし、汎用の計算機であってもよい。
【００３９】
計算機１０００は、バス１０２０、プロセッサ１０４０、メモリ１０６０、ストレージデバイス１０８０、入出力インタフェース１１００、及びネットワークインタフェース１１２０を有する。バス１０２０は、プロセッサ１０４０、メモリ１０６０、ストレージデバイス１０８０、入出力インタフェース１１００、及びネットワークインタフェース１１２０が、相互にデータを送受信するためのデータ伝送路である。ただし、プロセッサ１０４０などを互いに接続する方法は、バス接続に限定されない。プロセッサ１０４０は、CPU（Central Processing Unit）、GPU（Graphics Processing Unit）、又は FPGA（Field-Programmable Gate Array）などの種々のプロセッサである。メモリ１０６０は、RAM（Random Access Memory）などを用いて実現される主記憶装置である。ストレージデバイス１０８０は、ハードディスク、SSD（Solid State Drive）、メモリカード、又は ROM（Read Only Memory）などを用いて実現される補助記憶装置である。
【００４０】
入出力インタフェース１１００は、計算機１０００と入出力デバイスとを接続するためのインタフェースである。例えば入出力インタフェース１１００には、マウス、キーボードなどの入力装置１２００や、ディスプレイ装置などの出力装置１２１０が接続される。
【００４１】
ネットワークインタフェース１１２０は、計算機１０００をネットワークに接続するためのインタフェースである。この通信網は、例えば LAN（Local Area Network）や WAN（Wide Area Network）である。ネットワークインタフェース１１２０がネットワークに接続する方法は、無線接続であってもよいし、有線接続であってもよい。
【００４２】
ストレージデバイス１０８０は、制御装置４０の各機能構成部を実現するプログラムモジュールを記憶している。プロセッサ１０４０は、これら各プログラムモジュールをメモリ１０６０に読み出して実行することで、各プログラムモジュールに対応する機能を実現する。
【００４３】
本実施形態において、表示パネル３０は入出力インタフェース１１００またはネットワークインタフェース１１２０を介して計算機１０００に接続される。
【００４４】
次に、本実施形態の作用および効果について説明する。本実施形態に係るシステム１０および制御装置４０によれば、陳列データに基づいて表示パネル３０における各商品に関する情報の表示領域３１０が決定される。したがって、棚札の付け替えや移動を行う必要がなく、商品の陳列変更の際の手間を軽減できる。また、フェース数に応じて表示領域３１０の広さを変更することができるため、商品に関する情報をより強く顧客にアピールすることができる。
【００４５】
（第２の実施形態）
図１２は、第２の実施形態に係る制御装置４０の構成を例示する図である。本実施形態に係るシステム１０および制御装置４０は、制御装置４０が陳列データ生成手段４２０を備える点を除いて第１の実施形態に係るシステム１０および制御装置４０とそれぞれ同じである。以下に詳しく説明する。
【００４６】
本実施形態に係る制御装置４０は、図１１に示したような計算機１０００で実現可能である。計算機１０００のストレージデバイス１０８０は、陳列データ生成手段４２０を実現するプログラムモジュールをさらに記憶している。プロセッサ１０４０は、このプログラムモジュールをメモリ１０６０に読み出して実行することで陳列データ生成手段４２０の機能をさらに実現する。
【００４７】
陳列データ生成手段４２０では、陳列データの生成が行われる。陳列データ生成手段４２０が陳列データを生成する方法の例としては、以下の第１の処理例から第３の処理例が挙げられる。第１の処理例は、ユーザが商品情報から手作業で商品の配置を決定する方法である。第２の処理例は、陳列された商品の配置に基づいて陳列データを生成する方法である。第３の処理例は、基となる陳列データに変更を加えて、新たな陳列データとする方法である。なお、ユーザはたとえば店舗の店員である。
【００４８】
第１の処理例では計算機１０００に出力装置１２１０として接続されたディスプレイに、図６に示す様な商品一覧が表示される。また、ディスプレイには図８に示す様な陳列什器２２０への陳列のイメージ図が表示される。そして、制御装置４０のユーザは、計算機１０００に接続された入力装置１２００を用い、商品一覧から陳列データに登録したい商品を選択する。さらにユーザは、選択した商品を配置する位置を陳列のイメージ図において指定することで、商品を陳列データに登録する。このとき、ユーザはさらに商品のフェース数を設定することができる。陳列したい商品の登録が全て終わると、ユーザは確定操作を行う。そうすることにより、ディスプレイに表示されたイメージ図の陳列内容に基づいて陳列データが生成される。
【００４９】
本例では取得手段４１０は第１の実施形態と同様に商品情報を取得する。また、取得手段４１０は入力装置１２００によるユーザからの上記の各入力を受け付ける。そして、陳列データ生成手段４２０は、入力内容および商品情報に基づいて陳列データを生成する。
【００５０】
図１３は、第１の処理例で生成される陳列データの構成を例示する図である。本図の例において、陳列データは、複数の商品のそれぞれについて、陳列位置を示す情報、商品コード、フェース数、開始位置、および終了位置を含む。陳列データ生成手段４２０は、ユーザからの入力内容に基づく商品コード、陳列位置、およびフェース数と、商品情報から商品コードを用いて抽出される商品の幅とに基づき、このような陳列データを生成できる。
【００５１】
第２の処理例においては、計算機１０００には入力装置１２００としてバーコード等の読み取り手段が接続されている。そして、棚２０には予め商品が陳列されている。ユーザは、たとえば各棚２０の商品のバーコードを左から順に読み取る。ここで、２フェースで並べられた商品は、２回読み取りを行う。また、ユーザは、複数の棚２０に対して順に同様の作業を行う。
【００５２】
本例では取得手段４１０は第１の実施形態と同様に商品情報を取得する。また、取得手段４１０は入力装置１２００からバーコードの読み取り結果を取得する。読み取り結果は商品コードを示す情報を含む。陳列データ生成手段４２０は、読み取り結果に示された商品コードを、商品情報から検索し、その商品の商品名、価格、および商品の幅を取得する。そして、陳列データ生成手段４２０は、取得した商品名、価格、および商品の幅と、バーコードの読み取り結果に基づくフェース数に基づいて、陳列データを生成する。本例においても、第１の処理例と同様、図１３のような陳列データを生成できる。
【００５３】
第３の処理例では、たとえば計算機１０００に出力装置１２１０として接続されたディスプレイに図８の様な陳列什器２２０への陳列のイメージ図が表示される。そして、ユーザは、表示されたイメージ図に対して、入力装置１２００を用い、フェースの縮小（すなわち、フェース数を減らす）、フェースの拡大（すなわち、フェース数を増やす）、商品の削除、および商品の挿入等の操作を行うことで、新たな陳列データを作成する。
【００５４】
図１４は、フェースを縮小する場合の操作画面を例示する図である。図１５は、図１４の商品配置に対応する陳列データの構成を例示する図である。本例において、計算機１０００に出力装置１２１０として接続されたディスプレイにはまず、たとえば図８のような基となる陳列データのイメージ図が表示される。そしてユーザは、計算機１０００に接続された入力装置１２００を用い、画面上でフェースを縮小したい商品を選択し、フェースを縮小する操作を行う。図１４は、図８の例に対し、「〇〇チップス  コンソメ味」のフェース数が２から１に変更された状態を示している。
【００５５】
図１６は、フェースを拡大する場合の操作画面を例示する図である。図１７は、図１６の商品配置に対応する陳列データの構成を例示する図である。本例において、計算機１０００に出力装置１２１０として接続されたディスプレイにはまず、たとえば図８のような基となる陳列データのイメージ図が表示される。そしてユーザは、計算機１０００に接続された入力装置１２００を用い、画面上でフェースを拡大したい商品を選択し、フェースを拡大する操作を行う。図１６は、図８の例に対し、「〇〇チップス  ガーリック味」のフェース数が１から２に変更された状態を示している。
【００５６】
ただし、この場合、フェースの拡大により、上段の棚２０の右端の商品が陳列什器２２０に納まらなくなる。そこで、陳列データ生成手段４２０は、棚２０に納まらなくなる商品の表示色を変えるなどして、ユーザに警告してもよい。このような警告表示を見たユーザは、商品の位置やフェース数をさらに変更することができる。具体的には、陳列データ生成手段４２０からアクセス可能な記憶手段４４０には、予め棚２０のサイズ情報が保持されている。なお、記憶手段４４０は制御装置４０に備えられていても良いし、制御装置４０の外部に設けられていても良い。陳列データ生成手段４２０は記憶手段４４０からサイズ情報を読み出し、ユーザの入力内容通りに商品が棚２０に納まるかを判定する。すなわち、棚２０に陳列登録された全ての商品の幅の和が、その棚２０の幅以下であるか否かを判定する。そして、商品が棚２０に納まらないと判定された場合に、ディスプレイにおいて問題となる商品が他の商品と識別可能となるように、陳列データ生成手段４２０が表示を変更する。なお、棚２０のサイズ情報に基づく判定は、幅に限定されない。たとえばサイズ情報は棚２０に陳列可能な物の高さを含み、サイズ情報に基づく判定は、商品の高さが、棚２０に陳列可能な物の高さ以下であるか否かの判定を含んでも良い。
【００５７】
図１８は、商品の削除をする場合の操作画面を例示する図である。図１９は、図１８の商品配置に対応する陳列データの構成を例示する図である。本例において、計算機１０００に出力装置１２１０として接続されたディスプレイにはまず、たとえば図８のような基となる陳列データの模式図が表示される。そしてユーザは、計算機１０００に接続された入力装置１２００を用い、画面上で陳列データから削除したい商品を選択し、削除の操作を行う。図１８は、図８の例に対し、「〇〇チップス  コンソメ味」の削除が行われた状態を示している。
【００５８】
図２０は、商品を挿入する場合の操作画面を例示する図である。図２１は、図２０の商品配置に対応する陳列データの構成を例示する図である。本例において、計算機１０００に出力装置１２１０として接続されたディスプレイには、たとえば図１８のような基となる陳列データの模式図が表示される。また、ディスプレイには、商品情報に基づき追加可能な商品の一覧が更に表示される。そしてユーザは、計算機１０００に接続された入力装置１２００を用い、画面上で陳列データに追加したい商品を選択し、挿入の操作を行う。図２０は、図１８の例に対し、「ＸＸえびせん  マヨネーズ味」が追加された状態を示している。
【００５９】
上記の様にフェースの縮小、フェースの拡大、商品の削除、および商品の挿入等の操作により、陳列の変更を行ったユーザは、さらに陳列の確定操作を行う。そうすることにより、ディスプレイに表示された陳列状態を示す陳列データが生成される。
【００６０】
本実施形態に係る表示データ生成手段４５０は、陳列データ生成手段４２０で生成された陳列データを用いて、第１の実施形態と同様に、表示パネル３０の表示データを生成し、表示パネル３０に表示させることができる。また、陳列データ生成手段４２０で生成された陳列データは一時的に記憶手段４４０に保持されても良い。
【００６１】
また、表示データ生成手段４５０は、陳列データに基づいて表示領域３１０や値札情報の変更をすることができる。たとえば既に表示データに基づき値札情報が表示された状態で、陳列データ生成手段４２０で新たな陳列データが生成された場合、表示データ生成手段４５０はその陳列データに基づく新たな表示データを生成する。そして、ユーザの表示切り替え操作に基づき、送信手段４７０は新たな表示データを表示パネル３０に送信する。その結果、表示パネル３０には新たな表示データに基づく表示がされる。
【００６２】
次に、本実施形態の作用および効果について説明する。本実施形態においては第１の実施形態と同様の作用および効果が得られる。くわえて、制御装置４０において容易に陳列データの作成や変更ができる。
【００６３】
（第３の実施形態）
図２２は、第３の実施形態に係るシステム１０の構成を例示する図である。本実施形態に係るシステム１０は、以下に説明する点を除いて、第１および第２の実施形態の少なくともいずれかに係るシステム１０と同じである。また、本実施形態に係る制御装置４０は、以下に説明する点を除いて、第１および第２の実施形態の少なくともいずれかに係る制御装置４０と同じである。
【００６４】
本実施形態において、制御装置４０は、店員向けの表示内容と顧客向けの表示内容とを切り替えて表示パネル３０に表示させる。顧客向けの表示内容は一以上の値札情報を含む。顧客向けの表示内容は、第１および第２の実施形態に説明した通りであり、例として図２または図１０で示すことができる。
【００６５】
本実施形態において制御装置４０は、表示パネル３０の表示内容を店員向けから顧客向けに変更したり、顧客向けから店員向けに変更したりする。制御装置４０の制御に基づき、表示パネル３０の表示内容が変化する。ここで、店員向けの表示内容と顧客向けの表示内容とは少なくとも一部が共通していてもよい。すなわち、制御装置４０は、表示パネル３０の表示内容の一部のみを変更してもよい。言い換えると、制御装置４０は、表示パネル３０の表示内容の少なくとも一部を店員向けから顧客向けに置き換えたり、顧客向けから店員向けに置き換えたりしてもよい。また、制御装置４０は、表示パネル３０の一部の表示領域３１０のみを店員向けの表示内容から顧客向けの表示内容に切り替えたり、顧客向けの表示内容から店員向けの表示内容に切り替えたりしてもよい。くわえて、制御装置４０は表示パネル３０の表示内容を、休止モード等、さらに他の内容に切り替えてもよい。
【００６６】
図２２に示す様に、第３の実施形態に係るシステム１０は、店員用端末５０をさらに備える。そして制御装置４０は、店員用端末５０への入力に基づいて、店員向けの表示内容と顧客向けの表示内容とを切り替える。店員用端末５０を実現するハードウエアは制御装置４０と同様、図１１のような計算機１０００で例示される。ただし店員用端末５０を実現する計算機１０００は制御装置４０を実現する計算機１０００とは別途設けられてよい。店員用端末５０はたとえばスマートフォン等のモバイル端末である。モバイル端末はたとえば入力装置１２００と出力装置１２１０としてのディスプレイとを兼ねたタッチパネルを備える。店員用端末５０と制御装置４０とは、たとえばネットワークインタフェース１１２０および入出力インタフェース１１００の少なくとも一方を介して互いに通信可能である。
【００６７】
店員向けの表示内容は、店員の作業を補助するための情報を含む。本実施形態において、店員向けの表示内容は、棚２０における商品の配置の変更を示す変更情報を含む。変更情報は、たとえば、商品の陳列変更のために店員が行うべき作業を示す情報である。また、制御装置４０は、店員の作業内容が切り替わることを示す切り替え情報に基づいて変更情報を切り替える。変更情報が切り替わることにより、行われるべき作業が順に店員に示される。そして店員は、変更情報に従って順に作業を行うことにより、習熟度合いに関わりなく効率的に陳列変更を進めることができる。
【００６８】
本実施形態において切り替え情報は、店員用端末５０への入力に基づく情報である。具体的には、店員は表示パネル３０に表示されている作業が完了すると、その旨を示す操作を店員用端末５０に対して行う。すると、作業完了操作が行われたことを示す情報が店員用端末５０から制御装置４０に送信される。そして制御装置４０は、表示パネル３０の表示内容を次の変更情報に切り替える。店員は、表示パネル３０に表示された新たな変更情報に従い、次の作業を行う。
【００６９】
制御装置４０は、商品の配置の変更前の第１陳列データと、商品の配置の変更後の第２陳列データとに基づいて、店員向けの表示内容を示す表示データを生成する。具体的には、表示データには、変更前の配置から変更後の配置を実現するために行われるべき作業を示す変更情報が含まれる。制御装置４０の表示データ生成手段４５０は、行われるべき作業を示す変更情報を順に含む複数の表示データを生成する。そして送信手段４７０は、それらの表示データを、切り替え情報に基づいて順に表示パネル３０に送信する。
【００７０】
システム１０で行われる処理および、システム１０の使用方法について以下に詳しく説明する。
【００７１】
図２３は、表示パネル３０の表示内容を切り替えるための店員用端末５０の表示画面を例示する図である。切り替え前の表示パネル３０には、顧客向けの表示内容が表示されているとする。陳列変更を行おうとする店員はまず、店員用端末５０において配置変更を行おうとする陳列什器２２０を指定する。また、店員は変更後の陳列データを指定する。その上で、店員は作業開始の操作を行う。本図の例で具体的には、店員はラック番号および、変更後陳列データを選択または入力した上で、開始ボタン５１０をタップする。なお、陳列什器２２０の指定は、陳列什器２２０に付されたコードを店員用端末５０のカメラで読み取ることにより行われても良い。
【００７２】
店員用端末５０に対して作業開始の操作が行われると、表示データ生成手段４５０は店員用端末５０に指定された陳列什器２２０の、現在の陳列データを第１陳列データとして取得する。また、店員用端末５０で指定された変更後の陳列データを第２陳列データとして取得する。
【００７３】
本実施形態において、制御装置４０の構成は図５または図１２で例示することができる。本実施形態において、第１陳列データおよび第２陳列データは、第１の実施形態で説明した様に取得手段４１０で取得される。または、第１陳列データおよび第２陳列データは、第２の実施形態で説明した様に陳列データ生成手段４２０で生成される。また、第１陳列データおよび第２陳列データのうち一方が、取得手段４１０で取得され、他方が陳列データ生成手段４２０で生成されても良い。表示データ生成手段４５０は、各陳列データを取得手段４１０から取得しても良いし、陳列データ生成手段４２０から取得しても良いし、記憶手段４４０から読み出して取得してもよい。
【００７４】
次いで表示データ生成手段４５０は、以下のように第１陳列データと第２陳列データの差分を抽出し、差分に基づいて変更情報を生成する。
【００７５】
陳列変更はたとえば、「スペースを空ける作業」「商品を移動させる作業」および「商品を導入する作業」で構成される。「スペースを空ける作業」は、商品を棚から取り出す作業およびフェースを縮小する作業の少なくとも一方である。「商品を移動させる作業」は、同じ棚２０の中で商品を移動させる作業および異なる棚２０へ商品を移動させる作業の少なくとも一方である。「商品を導入する作業」は、フェースを拡大する作業および新たな商品を追加する作業の少なくとも一方である。表示データ生成手段４５０は、「スペースを空ける作業」、「商品を移動させる作業」および「商品を導入する作業」のうち、少なくともいずれかが実施されるよう、変更情報を表示パネル３０に表示させる。ここで、「スペースを空ける作業」「商品を移動させる作業」および「商品を導入する作業」は、この順に実施されることが好ましい。各作業は商品の列ごとに行われる。
【００７６】
図２４は、第２陳列データの構成を例示する図である。図２５は、図２４の陳列データに基づく商品の配置を示す図である。また、第１陳列データは図１３で示されると仮定する。図１３が示す商品の配置は、図８により模式的に表される。第１陳列データに基づく顧客向けの表示内容は図１０で例示される。これらの第１陳列データおよび第２陳列データの例を参照し、陳列支援について以下に詳しく説明する。ただし、第１陳列データおよび第２陳列データは本例に限定されない。
【００７７】
図２６は、店員向け表示内容を表示パネル３０に表示させるために表示データ生成手段４５０が行う処理を例示するフローチャートである。表示データ生成手段４５０は、第１陳列データおよび第２陳列データを取得するとステップＳ１０を行う。ステップＳ１０では、表示データ生成手段４５０は取り出すべき商品を第１陳列データから抽出する。すなわち、表示データ生成手段４５０は第１陳列データに含まれ、かつ第２陳列データに含まれない商品を取り出すべき商品として抽出する。そして、表示データ生成手段４５０は、抽出された商品を取り出すことを示す変更情報を、表示パネル３０に表示させる表示データを、生成する。生成された表示データは表示パネル３０に送信され、表示パネル３０に変更情報が表示される。なお、取り出すべき商品が存在しなかった場合、表示データ生成手段４５０は表示データを生成せずにステップＳ１２を行う。
【００７８】
図２７は、商品を取り出すことを示す変更情報が表示された表示パネル３０を例示する図である。図１３の第１陳列データからは、ステップＳ１０において商品コード「10020」の商品が抽出される。そして、この商品コードに対応する商品の表示領域３１０に、取り出しを促す表示がされる。これを見た店員は、表示に従って商品を取り出す。なお、作業対象となっていない商品の表示領域３１０には、値札情報が表示されていても良い。そうすることで、店員の作業中であっても、顧客が商品の価格を確認できる。また、表示領域３１０にはさらに「作業モード中」等、店員向け表示内容である旨の表示がされていても良い。
【００７９】
図２８は、切り替え情報を制御装置４０に送信するための店員用端末５０の表示画面である。作業中、店員用端末５０には本図の様な表示がされる。そして、表示パネル３０に表示された作業を終えると、店員はその作業を終えた旨の入力を店員用端末５０に対して行う。具体的には、店員は完了ボタン５２０をタップする。そうすると、店員用端末５０への入力に基づく切り替え情報が店員用端末５０から制御装置４０へ送信される。制御装置４０が切り替え情報を受信すると、表示データ生成手段４５０はそれを受け付け（ステップＳ１１）、次いでステップＳ１２の処理を行う。なお、ステップＳ１０で抽出された商品が複数ある場合、切り替え情報を受け付けた表示データ生成手段４５０は次の商品を取り出すことを示す変更情報を表示させるための表示データを生成する。そして、ステップＳ１０で抽出された全ての商品についての変更情報が表示され、切り替え情報が受け付けられた時点で、処理がステップＳ１２に移る。
【００８０】
ステップＳ１２では、表示データ生成手段４５０はフェースを縮小すべき商品を第１陳列データから抽出する。すなわち、表示データ生成手段４５０は第１陳列データに含まれる商品の内ステップＳ１０で抽出された商品以外の商品のフェース数と、第２陳列データに含まれる商品のフェース数を比較する。そして、第２陳列データのフェース数が第１陳列データのフェース数よりも小さい商品を、フェースを縮小すべき商品として抽出する。次いで表示データ生成手段４５０は、抽出された商品のフェースを縮小することを示す変更情報を、表示パネル３０に表示させる表示データを、生成する。生成された表示データは表示パネル３０に送信され、表示パネル３０に変更情報が表示される。なお、フェースを縮小すべき商品が存在しなかった場合、表示データ生成手段４５０は表示データを生成せずにステップＳ１４を行う。
【００８１】
図２９および図３０は、商品のフェースを縮小することを示す変更情報が表示された表示パネル３０を例示する図である。図１３の第１陳列データからは、ステップＳ１２において商品コード「10060」および「10061」の商品が抽出される。そしてまず、図２９の様に一方の商品コードに対応する商品の表示領域３１０にフェースの縮小を促す表示がされる。この表示には、変更後のフェース数が含まれても良い。ここで、表示データ生成手段４５０は、第１陳列データと第２陳列データを比較し、フェースを縮小させる方向を矢印等で表示させても良い。本図の例では、フェースの縮小前の表示領域３１０に変更情報が表示されているが、フェースの縮小後の表示領域３１０にのみ変更情報が表示されても良い。そうすることで店員は、どの領域に向けてフェースを縮小させればよいかが把握しやすくなる。また、各ステップにおいて表示パネル３０ａおよび表示パネル３０ｂの表示には、作業の進行状況が反映されてもよい。本図の例においてたとえば、前の作業での商品の取り出しによりスペースとなった部分には表示領域３１０が表示されていない。
【００８２】
表示パネル３０を見た店員は、表示に従って商品のフェースを縮小させる。そして、表示パネル３０に表示された作業を終えると、ステップＳ１１と同様に、店員はその作業を終えた旨の入力を店員用端末５０に対して行う。すると、図３０の様にもう一方の商品コードに対応する商品の表示領域３１０にフェースの縮小を促す表示がされる。こうして、抽出された全ての商品の変更情報が表示され、店員用端末５０への入力に基づく切り替え情報が店員用端末５０から制御装置４０へ送信されると（ステップＳ１３）、次いで表示データ生成手段４５０はステップＳ１４を行う。
【００８３】
ステップＳ１４では、表示データ生成手段４５０は同じ棚２０の中で移動させるべき商品を第１陳列データから抽出する。すなわち、表示データ生成手段４５０は第１陳列データに含まれる商品の内ステップＳ１０で抽出された商品以外の商品の棚識別情報と、第２陳列データに含まれる商品の棚識別情報とを比較する。そして、表示データ生成手段４５０は陳列データ間で棚識別情報が一致する商品を抽出する。さらに表示データ生成手段４５０は、抽出された商品の位置を、第１陳列データと第２陳列データとで比較し、位置の変更が必要な商品を同じ棚２０の中で移動させるべき商品として抽出する。次いで表示データ生成手段４５０は、抽出された商品を移動させることを示す変更情報を、表示パネル３０に表示させる表示データを、生成する。生成された表示データは表示パネル３０に送信され、表示パネル３０に変更情報が表示される。なお、同じ棚２０の中で移動させるべき商品が存在しなかった場合、表示データ生成手段４５０は表示データを生成せずにステップＳ１６を行う。
【００８４】
図３１は、商品を同じ棚２０内で移動させることを示す変更情報が表示された表示パネル３０を例示する図である。図１３の第１陳列データからは、ステップＳ１４において商品コード「10060」、「10061」、および「10059」の商品が抽出される。そして、これらの商品コードに対応する商品の表示領域３１０に移動を促す表示がされる。これを見た店員は、表示に従って商品を移動させる。本図の例では、移動後の商品の配置が表示領域３１０の配置として表示パネル３０に示されるため、作業が効率よく行える。そして、表示パネル３０に表示された作業を終えると、ステップＳ１１と同様に、店員はその作業を終えた旨の入力を店員用端末５０に対して行う。そうすると、店員用端末５０への入力に基づく切り替え情報が店員用端末５０から制御装置４０へ送信される。表示データ生成手段４５０は切り替え情報を受け付けると（ステップＳ１５）、次いでステップＳ１６を行う。
【００８５】
ステップＳ１６では、表示データ生成手段４５０は異なる棚２０へ移動させるべき商品を第１陳列データから抽出する。すなわち、表示データ生成手段４５０は第１陳列データに含まれる商品の内ステップＳ１０で抽出された商品以外の商品の棚識別情報と、第２陳列データに含まれる商品の棚識別情報とを比較する。そして、表示データ生成手段４５０は陳列データ間で棚識別情報が一致しない商品を異なる棚２０へ移動させるべき商品として抽出する。次いで表示データ生成手段４５０は、抽出された商品を移動させることを示す変更情報を、表示パネル３０に表示させる表示データを、生成する。生成された表示データは表示パネル３０に送信され、表示パネル３０に変更情報が表示される。なお、異なる棚２０へ移動させるべき商品が存在しなかった場合、表示データ生成手段４５０は表示データを生成せずにステップＳ１８を行う。
【００８６】
図３２は、商品を異なる棚２０へ移動させることを示す変更情報が表示された表示パネル３０を例示する図である。図１３の第１陳列データからは、ステップＳ１６において商品コード「10088」の商品が抽出される。そして、この商品コードに対応する商品の表示領域３１０に移動を促す表示がされる。この表示は具体的には、移動元の棚２０から商品を取り出すことを促す表示、および移動先の棚２０に商品を導入することを促す表示である。本図の例では、移動後の商品の配置が表示領域３１０の配置として表示パネル３０に示されるため、作業が効率よく行える。
【００８７】
表示パネル３０を見た店員は、表示に従って商品を移動させる。そして、表示パネル３０に表示された作業を終えると、ステップＳ１１と同様に、店員はその作業を終えた旨の入力を店員用端末５０に対して行う。そうすると、店員用端末５０への入力に基づく切り替え情報が店員用端末５０から制御装置４０へ送信される。表示データ生成手段４５０は切り替え情報を受け付けると（ステップＳ１７）、次いでステップＳ１８を行う。なお、ステップＳ１６で抽出された商品が複数ある場合、切り替え情報を受け付けた表示データ生成手段４５０は次の商品を移動させることを示す変更情報を表示させるための表示データを生成する。そして、ステップＳ１６で抽出された全ての商品についての変更情報が表示され、切り替え情報が受け付けられた時点で、処理がステップＳ１８に移る。
【００８８】
ステップＳ１８では、表示データ生成手段４５０はフェースを拡大すべき商品を第１陳列データから抽出する。すなわち、表示データ生成手段４５０は第１陳列データに含まれる商品の内ステップＳ１０で抽出された商品以外の商品のフェース数と、第２陳列データに含まれる商品のフェース数を比較する。そして、第２陳列データのフェース数が第１陳列データのフェース数よりも大きい商品を、フェースを拡大すべき商品として抽出する。次いで表示データ生成手段４５０は、抽出された商品のフェースを拡大することを示す変更情報を、表示パネル３０に表示させる表示データを、生成する。生成された表示データは表示パネル３０に送信され、表示パネル３０に変更情報が表示される。なお、フェースを拡大すべき商品が存在しなかった場合、表示データ生成手段４５０は表示データを生成せずにステップＳ２０を行う。
【００８９】
図３３は、商品のフェースを拡大することを示す変更情報が表示された表示パネル３０を例示する図である。図１３の第１陳列データからは、ステップＳ１８において商品コード「10099」の商品が抽出される。そして、この商品コードに対応する商品の表示領域３１０にフェースの拡大を促す表示がされる。この表示には、変更後のフェース数が含まれても良い。ここで、表示データ生成手段４５０は、第１陳列データと第２陳列データを比較し、フェースを拡大させる方向を矢印等で表示させても良い。本図の例において、変更情報はフェースの拡大後の表示領域３１０に表示されている。これにより、店員は、どこまでフェースを拡大させればよいか把握しやすくなる。
【００９０】
表示パネル３０を見た店員は、表示に従って商品のフェースを拡大させる。そして、表示パネル３０に表示された作業を終えると、ステップＳ１１と同様に、店員はその作業を終えた旨の入力を店員用端末５０に対して行う。そうすると、店員用端末５０への入力に基づく切り替え情報が店員用端末５０から制御装置４０へ送信される。表示データ生成手段４５０は切り替え情報を受け付けると（ステップＳ１９）、次いでステップＳ２０を行う。なお、ステップＳ１８で抽出された商品が複数ある場合、切り替え情報を受け付けた表示データ生成手段４５０は次の商品のフェースを拡大させることを示す変更情報を表示させるための表示データを生成する。そして、ステップＳ１８で抽出された全ての商品についての変更情報が表示され、切り替え情報が受け付けられた時点で、処理がステップＳ２０に移る。
【００９１】
ステップＳ２０では、表示データ生成手段４５０は導入すべき商品を第２陳列データから抽出する。すなわち、表示データ生成手段４５０は第２陳列データに含まれ、かつ第１陳列データに含まれない商品を、導入すべき商品として抽出する。次いで表示データ生成手段４５０は、抽出された商品を導入することを示す変更情報を、表示パネル３０に表示させる表示データを、生成する。生成された表示データは表示パネル３０に送信され、表示パネル３０に変更情報が表示される。なお、導入すべき商品が存在しなかった場合、表示データ生成手段４５０は表示データを生成せずにステップＳ２２を行う。
【００９２】
図３４は、商品を導入することを示す変更情報が表示された表示パネル３０を例示する図である。図２４の第２陳列データからは、ステップＳ２０において商品コード「10046」の商品が抽出される。そして、この商品コードに対応する商品の表示領域３１０に導入を促す表示がされる。本図の例では、導入先の商品の配置が表示領域３１０の配置として表示パネル３０に示されるため、作業が効率よく行える。
【００９３】
表示パネル３０を見た店員は、表示に従って商品を導入する。そして、表示パネル３０に表示された作業を終えると、ステップＳ１１と同様に、店員はその作業を終えた旨の入力を店員用端末５０に対して行う。そうすると、店員用端末５０への入力に基づく切り替え情報が店員用端末５０から制御装置４０へ送信される。表示データ生成手段４５０は切り替え情報を受け付けると（ステップＳ２１）、処理を終了する。なお、ステップＳ２０で抽出された商品が複数ある場合、切り替え情報を受け付けた表示データ生成手段４５０は次の商品を導入することを示す変更情報を表示させるための表示データを生成する。そして、ステップＳ２０で抽出された全ての商品についての変更情報が表示され、切り替え情報が受け付けられた時点で、処理がステップＳ２２に移る。
【００９４】
ステップＳ２２において表示データ生成手段４５０は、表示パネル３０の表示内容を、店員向けから顧客向けに切り替える。ここで、切り替え後の顧客向け表示内容は、第２陳列データに基づく陳列変更後の値札情報を含む。なお、商品の配置の他、商品情報の価格等も更新されても良い。表示データ生成手段４５０は、新たな商品情報を取得し、その商品情報に基づいて変更後の値札情報を表示パネル３０に表示させても良い。
【００９５】
図３５は、陳列変更後の顧客向け表示内容を例示する図である。
【００９６】
上記の処理において、制御装置４０は、作業内容の種類に基づいて、店員向けの表示内容の少なくとも一部の色を切り替えてもよい。たとえば、変更情報を表示する表示領域３１０の背景色、文字色、および枠の色の少なくともいずれかを、「フェースの縮小」と「フェースの拡大」と「商品の取り出し」と「商品の導入」と「商品の移動」とで、互いに異ならせることができる。そうすることで、店員は、作業内容を直感的に把握することができる。
【００９７】
次に、本実施形態の作用および効果について説明する。本実施形態においては第１の実施形態と同様の作用および効果が得られる。くわえて、表示パネル３０の表示により、店員の作業の支援が可能となる。
【００９８】
（第４の実施形態）
図３６は、第４の実施形態に係るシステム１０の構成を例示する図である。図３７は、第４の実施形態に係る表示パネル３０の使用環境および表示内容を例示する図である。本実施形態に係るシステム１０および制御装置４０はそれぞれ、以下に説明する点を除いて第３の実施形態に係るシステム１０および制御装置４０と同じである。
【００９９】
本実施形態に係るシステム１０は、読み取り手段２５０を備える。商品２１０には無線通信タグ２３０が取り付けられている。棚２０には無線通信タグ２３０の読み取り手段２５０が設けられている。そして、切り替え情報は、読み取り手段２５０の読み取り結果に基づく情報である。以下に詳しく説明する。
【０１００】
無線通信タグ２３０はたとえばＲＦＩＤ（radio frequency identifier）であり、読み取り手段２５０はＲＦＩＤリーダーである。無線通信タグ２３０には、その無線通信タグ２３０が取り付けられた商品２１０の商品識別情報（ＩＤ）が保持されている。読み取り手段２５０はたとえばシート状であり、棚２０の商品配置面２０１に敷かれる。その場合、棚２０と商品２１０の間に読み取り手段２５０が位置することとなる。そして、読み取り手段２５０は無線通信タグ２３０から商品識別情報を読み取ることができる。商品識別情報はたとえば商品２１０の個体毎に付与されている。一方、記憶手段４４０には商品管理データが保持されている。商品管理データは、たとえば店舗における商品２１０の在庫状況を示すデータである。商品管理データには、複数の商品識別情報が含まれる。また、商品管理データには、各商品識別情報に関連づけられた、商品コード、および陳列期限等が含まれる。
【０１０１】
制御装置４０は、ネットワークインタフェース１１２０または入出力インタフェース１１００を介して読み取り手段２５０と接続されている。制御装置４０の取得手段４１０は、読み取り手段２５０から無線通信タグ２３０の読み取り結果、すなわち商品識別情報を取得することができる。
【０１０２】
本実施形態に係る表示データ生成手段４５０が、店員向け表示内容を表示パネル３０に表示させるために行う処理は、図２６と同様のフローチャートで例示できる。ただし、表示データ生成手段４５０は読み取り手段２５０の読み取り結果に基づいて、表示パネル３０に表示させる変更情報を切り替えることができる。
【０１０３】
本実施形態において、表示データ生成手段４５０が変更情報を表示パネル３０に表示させると、店員は表示内容に従って、商品２１０の移動、取り出し、導入等の作業を行う。作業の間、すなわち変更情報が表示されている間、読み取り手段２５０は棚２０に配置された商品２１０の無線通信タグ２３０から商品識別情報を読み取り、制御装置４０に送信する。表示データ生成手段４５０は商品識別情報を取得すると、記憶手段４４０から読み出した商品管理データと照合し、その商品の商品コードを抽出する。また、制御装置４０は、読み取り手段２５０から、棚２０のどの位置で各無線通信タグ２３０が検出されたかを示す情報を取得することができる。そうすることにより、棚２０における各商品コードの商品２１０の数や配置が表示データ生成手段４５０において特定される。その上で表示データ生成手段４５０は、商品２１０に対する作業が、表示パネル３０に表示された変更情報の通りに行われているか否かを監視することができる。
【０１０４】
図３８は、警告が表示された表示パネル３０を例示する図である。たとえば、変更の必要の無い商品に対して変更作業が行われたり、導入されるべき商品と異なる商品が導入されたりした場合に、表示データ生成手段４５０は、表示パネル３０に警告を表示する。そうすることにより、作業ミス等が抑制され、店員の作業時間を短縮することができる。
【０１０５】
また、ステップＳ１１、１３、１５、１７、１９，および２１において、表示データ生成手段４５０は読み取り手段２５０の読み取り結果に基づき、変更情報に示された作業が完了したか否かを判定する。そして、作業が完了したと判定されたとき、処理を次のステップに進める。具体的には、表示データ生成手段４５０は、棚２０における商品の配置が各変更情報に基づく変更後の状態になったとき、作業が完了したと判定する。そうすることにより、店員が店員用端末５０を操作することなく、変更情報を切り替えることができる。
【０１０６】
なお、読み取り手段２５０の読み取り結果に基づき、表示データ生成手段４５０が、作業が完了したと判定していない場合でも、第３の実施形態で説明した様に作業を終えた旨の入力が店員用端末５０に対し行われたときに、表示データ生成手段４５０は表示パネル３０に表示させる変更情報を切り替えても良い。
【０１０７】
次に、本実施形態の作用および効果について説明する。本実施形態においては第１の実施形態と同様の作用および効果が得られる。くわえて、陳列変更作業をより効率化できる。
【０１０８】
（第５の実施形態）
第５の実施形態に係るシステム１０および制御装置４０はそれぞれ、以下に説明する点を除いて第４の実施形態に係るシステム１０および制御装置４０と同じである。
【０１０９】
本実施形態に係るシステム１０によれば、店員向けの表示内容は、陳列期限切れの商品の有無を示す情報を含む。商品の陳列期限管理の支援が可能である。店舗内の商品には、たとえば食品の賞味期限等に基づく、陳列期限が定められている。商品識別情報はたとえば商品の個体毎に付与されており、陳列期限は第４の実施形態に説明した様に商品管理データに含まれる。表示データ生成手段４５０は、読み取り手段２５０から取得した読み取り結果を商品管理データと照合することにより、棚２０に配置された各商品の陳列期限を特定することができる。
【０１１０】
図３９は、陳列期限を管理するための店員用端末５０の表示画面を例示する図である。図４０は、商品の取り出しを促す表示がされた表示パネル３０を例示する図である。店員は、店員用端末５０に対し、陳列什器識別情報を指定して期限管理モードへの変更操作を行うことで、期限管理モードを開始することができる。期限管理モードが始まると、表示データ生成手段４５０は読み取り手段２５０の読み取り結果と商品管理データとに基づいて、その陳列什器２２０の各棚２０に配置された商品の陳列期限を特定する。そして、表示データ生成手段４５０は、特定された各陳列期限が、現在の年月日および時刻より前であるか否かを判定する。陳列期限が現在の年月日および時刻より前であると判定された場合、表示データ生成手段４５０は図４０に示す様に、その陳列期限の商品の取り出しを促す表示内容を表示パネル３０に表示させる。本図の例では、陳列期限切れの取り出すべき商品の存在する列の表示領域３１０に、作業を促す表示がされている。表示パネル３０および店員用端末５０の少なくとも一方には、取り出すべき商品の数や位置がさらに表示されても良い。また、図３９の様に、店員が行うべき作業内容が店員用端末５０に表示されても良い。
【０１１１】
店員は表示パネル３０の表示に従い、期限切れの商品を探して棚２０から取り出す。期限切れの商品２１０が全て取り出されると、表示データ生成手段４５０は、読み取り手段２５０の読み取り結果に基づき、作業が完了したと判定し、期限管理モードを終了する。また、店員が店員用端末５０に対し作業が完了した旨の操作（たとえば完了ボタン５３０のタップ）を行ったときに、期限管理モードが終了されてもよい。なお、廃棄登録等、商品管理データに対する必要な処理がその場で行えても良い。
【０１１２】
次に、本実施形態の作用および効果について説明する。本実施形態においては第１の実施形態と同様の作用および効果が得られる。くわえて、陳列期限の管理が効率的かつ正確に行える。
【０１１３】
以上、図面を参照して本発明の実施形態について述べたが、これらは本発明の例示であり、上記以外の様々な構成を採用することもできる。たとえば、上述の説明で用いたシーケンス図やフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【０１１４】
以上、図面を参照して本発明の実施形態について述べたが、これらは本発明の例示であり、上記以外の様々な構成を採用することもできる。
【０１１５】
上記の実施形態の一部又は全部は、以下の付記のようにも記載されうるが、以下には限られない。
１−１．  棚に設置される表示パネルと、
前記表示パネルの表示内容を制御する制御装置とを備え、
前記制御装置は、店員向けの表示内容と顧客向けの表示内容とを切り替えて前記表示パネルに表示させるシステム。
１−２．  １−１．に記載のシステムにおいて、
前記店員向けの表示内容は、前記棚における商品の配置の変更を示す変更情報を含むシステム。
１−３．  １−２．に記載のシステムにおいて、
前記制御装置は、前記商品の配置の変更前の第１陳列データと、前記商品の配置の変更後の第２陳列データとに基づいて、前記店員向けの表示内容を示す表示データを生成するシステム。
１−４．  １−２．または１−３．に記載のシステムにおいて、
前記制御装置は、前記店員の作業内容が切り替わることを示す切り替え情報に基づいて前記変更情報を切り替えるシステム。
１−５．  １−４．に記載のシステムにおいて、
前記切り替え情報は、店員用端末への入力に基づく情報であるシステム。
１−６．  １−４．に記載のシステムにおいて、
前記商品には無線通信タグが取り付けられており、
前記棚には前記無線通信タグの読み取り手段が設けられており、
前記切り替え情報は、前記読み取り手段の読み取り結果に基づく情報であるシステム。
１−７．  １−４．から１−６．のいずれか一つに記載のシステムにおいて、
前記制御装置は、前記作業内容の種類に基づいて、前記店員向けの表示内容の少なくとも一部の色を切り替えるシステム。
１−８．  １−１．から１−７．のいずれか一つに記載のシステムにおいて、
前記制御装置は、店員用端末への入力に基づいて、前記店員向けの表示内容と前記顧客向けの表示内容とを切り替えるシステム。
１−９．  １−１．から１−８．のいずれか一つに記載のシステムにおいて、
前記顧客向けの表示内容は一以上の値札情報を含むシステム。
１−１０．  １−９．に記載のシステムにおいて、
前記表示パネルの長辺の長さは、前記表示パネルの短辺の長さの２倍以上であり、
前記制御装置は、前記棚の陳列データを用いて前記表示パネルにおける各前記値札情報の表示領域を決定するシステム。
２−１．  棚に設置される表示パネルの表示内容を制御する制御装置であって、
店員向けの表示内容と顧客向けの表示内容とを切り替えて前記表示パネルに表示させる制御装置。
２−２．  ２−１．に記載の制御装置において、
前記店員向けの表示内容は、前記棚における商品の配置の変更を示す変更情報を含む制御装置。
２−３．  ２−２．に記載の制御装置において、
前記商品の配置の変更前の第１陳列データと、前記商品の配置の変更後の第２陳列データとに基づいて、前記店員向けの表示内容を示す表示データを生成する制御装置。
２−４．  ２−２．または２−３．に記載の制御装置において、
前記店員の作業内容が切り替わることを示す切り替え情報に基づいて前記変更情報を切り替える制御装置。
２−５．  ２−４．に記載の制御装置において、
前記切り替え情報は、店員用端末への入力に基づく情報である制御装置。
２−６．  ２−４．に記載の制御装置において、
前記商品には無線通信タグが取り付けられており、
前記棚には前記無線通信タグの読み取り手段が設けられており、
前記切り替え情報は、前記読み取り手段の読み取り結果に基づく情報である制御装置。
２−７．  ２−４．から２−６．のいずれか一つに記載の制御装置において、
前記作業内容の種類に基づいて、前記店員向けの表示内容の少なくとも一部の色を切り替える制御装置。
２−８．  ２−１．から２−７．のいずれか一つに記載の制御装置において、
店員用端末への入力に基づいて、前記店員向けの表示内容と前記顧客向けの表示内容とを切り替える制御装置。
２−９．  ２−１．から２−８．のいずれか一つに記載の制御装置において、
前記顧客向けの表示内容は一以上の値札情報を含む制御装置。
２−１０．  ２−９．に記載の制御装置において、
前記表示パネルの長辺の長さは、前記表示パネルの短辺の長さの２倍以上であり、
前記棚の陳列データを用いて前記表示パネルにおける各前記値札情報の表示領域を決定する制御装置。
３−１．  棚に設置される表示パネルの表示内容を制御する制御装置を実現するためのコンピュータプログラムであって、
コンピュータを、店員向けの表示内容と顧客向けの表示内容とを切り替えて前記表示パネルに表示させる前記制御装置として機能させるコンピュータプログラム。
３−２．  ３−１．に記載のコンピュータプログラムにおいて、
前記店員向けの表示内容は、前記棚における商品の配置の変更を示す変更情報を含むコンピュータプログラム。
３−３．  ３−２．に記載のコンピュータプログラムにおいて、
前記制御装置は、前記商品の配置の変更前の第１陳列データと、前記商品の配置の変更後の第２陳列データとに基づいて、前記店員向けの表示内容を示す表示データを生成するコンピュータプログラム。
３−４．  ３−２．または３−３．に記載のコンピュータプログラムにおいて、
前記制御装置は、前記店員の作業内容が切り替わることを示す切り替え情報に基づいて前記変更情報を切り替えるコンピュータプログラム。
３−５．  ３−４．に記載のコンピュータプログラムにおいて、
前記切り替え情報は、店員用端末への入力に基づく情報であるコンピュータプログラム。
３−６．  ３−４．に記載のコンピュータプログラムにおいて、
前記商品には無線通信タグが取り付けられており、
前記棚には前記無線通信タグの読み取り手段が設けられており、
前記切り替え情報は、前記読み取り手段の読み取り結果に基づく情報であるコンピュータプログラム。
３−７．  ３−４．から３−６．のいずれか一つに記載のコンピュータプログラムにおいて、
前記制御装置は、前記作業内容の種類に基づいて、前記店員向けの表示内容の少なくとも一部の色を切り替えるコンピュータプログラム。
３−８．  ３−１．から３−７．のいずれか一つに記載のコンピュータプログラムにおいて、
前記制御装置は、店員用端末への入力に基づいて、前記店員向けの表示内容と前記顧客向けの表示内容とを切り替えるコンピュータプログラム。
３−９．  ３−１．から３−８．のいずれか一つに記載のコンピュータプログラムにおいて、
前記顧客向けの表示内容は一以上の値札情報を含むコンピュータプログラム。
３−１０．  ３−９．に記載のコンピュータプログラムにおいて、
前記表示パネルの長辺の長さは、前記表示パネルの短辺の長さの２倍以上であり、
前記制御装置は、前記棚の陳列データを用いて前記表示パネルにおける各前記値札情報の表示領域を決定するコンピュータプログラム。
４−１．  棚に設置される表示パネルの表示内容を制御する制御方法であって、
コンピュータが、店員向けの表示内容と顧客向けの表示内容とを切り替えて前記表示パネルに表示させる制御方法。
４−２．  ４−１．に記載の制御方法において、
前記店員向けの表示内容は、前記棚における商品の配置の変更を示す変更情報を含む制御方法。
４−３．  ４−２．に記載の制御方法において、
前記コンピュータは、前記商品の配置の変更前の第１陳列データと、前記商品の配置の変更後の第２陳列データとに基づいて、前記店員向けの表示内容を示す表示データを生成する制御方法。
４−４．  ４−２．または４−３．に記載の制御方法において、
前記コンピュータは、前記店員の作業内容が切り替わることを示す切り替え情報に基づいて前記変更情報を切り替える制御方法。
４−５．  ４−４．に記載の制御方法において、
前記切り替え情報は、店員用端末への入力に基づく情報である制御方法。
４−６．  ４−４．に記載の制御方法において、
前記商品には無線通信タグが取り付けられており、
前記棚には前記無線通信タグの読み取り手段が設けられており、
前記切り替え情報は、前記読み取り手段の読み取り結果に基づく情報である制御方法。
４−７．  ４−４．から４−６．のいずれか一つに記載の制御方法において、
前記コンピュータは、前記作業内容の種類に基づいて、前記店員向けの表示内容の少なくとも一部の色を切り替える制御方法。
４−８．  ４−１．から４−７．のいずれか一つに記載の制御方法において、
前記コンピュータは、店員用端末への入力に基づいて、前記店員向けの表示内容と前記顧客向けの表示内容とを切り替える制御方法。
４−９．  ４−１．から４−８．のいずれか一つに記載の制御方法において、
前記顧客向けの表示内容は一以上の値札情報を含む制御方法。
４−１０．  ４−９．に記載の制御方法において、
前記表示パネルの長辺の長さは、前記表示パネルの短辺の長さの２倍以上であり、
前記コンピュータは、前記棚の陳列データを用いて前記表示パネルにおける各前記値札情報の表示領域を決定する制御方法。
【０１１６】
５−１．  棚に設置される表示パネルと、
前記表示パネルの表示内容を制御する制御装置とを備え、
前記制御装置は、前記棚における商品の配置の、変更前の第１陳列データと、変更後の第２陳列データとに基づいて、前記表示パネルに表示させる店員向けの表示内容を示す表示データを生成するシステム。
５−２．  ５−１．に記載のシステムにおいて、
前記店員向けの表示内容は、前記棚における商品の配置の変更を示す変更情報を含むシステム。
５−３．  ５−２．に記載のシステムにおいて、
前記制御装置は、前記店員の作業内容が切り替わることを示す切り替え情報に基づいて前記変更情報を切り替えるシステム。
５−４．  ５−３．に記載のシステムにおいて、
前記切り替え情報は、店員用端末への入力に基づく情報であるシステム。
５−５．  ５−３．に記載のシステムにおいて、
前記商品には無線通信タグが取り付けられており、
前記棚には前記無線通信タグの読み取り手段が設けられており、
前記切り替え情報は、前記読み取り手段の読み取り結果に基づく情報であるシステム。
５−６．  ５−３．から５−５．のいずれか一つに記載のシステムにおいて、
前記制御装置は、前記作業内容の種類に基づいて、前記店員向けの表示内容の少なくとも一部の色を切り替えるシステム。
６−１．  棚に設置される表示パネルの表示内容を制御する制御装置であって、
前記棚における商品の配置の、変更前の第１陳列データと、変更後の第２陳列データとに基づいて、前記表示パネルに表示させる店員向けの表示内容を示す表示データを生成する制御装置。
６−２．  ６−１．に記載の制御装置において、
前記店員向けの表示内容は、前記棚における商品の配置の変更を示す変更情報を含む制御装置。
６−３．  ６−２．に記載の制御装置において、
前記店員の作業内容が切り替わることを示す切り替え情報に基づいて前記変更情報を切り替える制御装置。
６−４．  ６−３．に記載の制御装置において、
前記切り替え情報は、店員用端末への入力に基づく情報である制御装置。
６−５．  ６−３．に記載の制御装置において、
前記商品には無線通信タグが取り付けられており、
前記棚には前記無線通信タグの読み取り手段が設けられており、
前記切り替え情報は、前記読み取り手段の読み取り結果に基づく情報である制御装置。
６−６．  ６−３．から６−５．のいずれか一つに記載の制御装置において、
前記作業内容の種類に基づいて、前記店員向けの表示内容の少なくとも一部の色を切り替える制御装置。
７−１．  棚に設置される表示パネルの表示内容を制御する制御装置を実現するためのコンピュータプログラムであって、
コンピュータを、
前記棚における商品の配置の、変更前の第１陳列データと、変更後の第２陳列データとに基づいて、前記表示パネルに表示させる店員向けの表示内容を示す表示データを生成する前記制御装置として機能させるコンピュータプログラム。
７−２．  ７−１．に記載のコンピュータプログラムにおいて、
前記店員向けの表示内容は、前記棚における商品の配置の変更を示す変更情報を含むコンピュータプログラム。
７−３．  ７−２．に記載のコンピュータプログラムにおいて、
前記制御装置は、前記店員の作業内容が切り替わることを示す切り替え情報に基づいて前記変更情報を切り替えるコンピュータプログラム。
７−４．  ７−３．に記載のコンピュータプログラムにおいて、
前記切り替え情報は、店員用端末への入力に基づく情報であるコンピュータプログラム。
７−５．  ７−３．に記載のコンピュータプログラムにおいて、
前記商品には無線通信タグが取り付けられており、
前記棚には前記無線通信タグの読み取り手段が設けられており、
前記切り替え情報は、前記読み取り手段の読み取り結果に基づく情報であるコンピュータプログラム。
７−６．  ７−３．から７−５．のいずれか一つに記載のコンピュータプログラムにおいて、
前記制御装置は、前記作業内容の種類に基づいて、前記店員向けの表示内容の少なくとも一部の色を切り替えるコンピュータプログラム。
８−１．  棚に設置される表示パネルの表示内容を制御する制御方法であって、
コンピュータが、前記棚における商品の配置の、変更前の第１陳列データと、変更後の第２陳列データとに基づいて、前記表示パネルに表示させる店員向けの表示内容を示す表示データを生成する制御方法。
８−２．  ８−１．に記載の制御方法において、
前記店員向けの表示内容は、前記棚における商品の配置の変更を示す変更情報を含む制御方法。
８−３．  ８−２．に記載の制御方法において、
前記コンピュータは、前記店員の作業内容が切り替わることを示す切り替え情報に基づいて前記変更情報を切り替える制御方法。
８−４．  ８−３．に記載の制御方法において、
前記切り替え情報は、店員用端末への入力に基づく情報である制御方法。
８−５．  ８−３．に記載の制御方法において、
前記商品には無線通信タグが取り付けられており、
前記棚には前記無線通信タグの読み取り手段が設けられており、
前記切り替え情報は、前記読み取り手段の読み取り結果に基づく情報である制御方法。
８−６．  ８−３．から８−５．のいずれか一つに記載の制御方法において、
前記コンピュータは、前記作業内容の種類に基づいて、前記店員向けの表示内容の少なくとも一部の色を切り替える制御方法。
【０１１７】
９−１．  棚に設置される表示パネルと、
前記表示パネルの表示内容を制御する制御装置とを備え、
前記制御装置は、前記棚の陳列データを用いて前記表示パネルにおける値札情報の表示領域を決定するシステム。
９−２．  ９−１．に記載のシステムにおいて、
前記表示パネルの長辺の長さは、前記表示パネルの短辺の長さの２倍以上であるシステム。
１０−１．  棚に設置される表示パネルの表示内容を制御する制御装置であって、
前記棚の陳列データを用いて前記表示パネルにおける値札情報の表示領域を決定する制御装置。
１０−２．  １０−１．に記載の制御装置において、
前記表示パネルの長辺の長さは、前記表示パネルの短辺の長さの２倍以上である制御装置。
１１−１．  棚に設置される表示パネルの表示内容を制御する制御装置を実現するためのコンピュータプログラムであって、
コンピュータを、前記棚の陳列データを用いて前記表示パネルにおける値札情報の表示領域を決定する前記制御装置として機能させるコンピュータプログラム。
１１−２．  １１−１．に記載のコンピュータプログラムにおいて、
前記表示パネルの長辺の長さは、前記表示パネルの短辺の長さの２倍以上であるコンピュータプログラム。
１２−１．  棚に設置される表示パネルの表示内容を制御する制御方法であって、
コンピュータが、前記棚の陳列データを用いて前記表示パネルにおける値札情報の表示領域を決定する制御方法。
１２−２．  １２−１．に記載の制御方法において、
前記表示パネルの長辺の長さは、前記表示パネルの短辺の長さの２倍以上である制御方法。
【０１１８】
この出願は、２０１８年１２月１２日に出願された日本出願特願２０１８−２３２７０１号を基礎とする優先権を主張し、その開示の全てをここに取り込む。
【図１】
2020121828.tif 000003
【図２】
2020121828.tif 000004
【図３】
2020121828.tif 000005
【図４】
2020121828.tif 000006
【図５】
2020121828.tif 000007
【図６】
2020121828.tif 000008
【図７】
2020121828.tif 000009
【図８】
2020121828.tif 000010
【図９】
2020121828.tif 000011
【図１０】
2020121828.tif 000012
【図１１】
2020121828.tif 000013
【図１２】
2020121828.tif 000014
【図１３】
2020121828.tif 000015
【図１４】
2020121828.tif 000016
【図１５】
2020121828.tif 000017
【図１６】
2020121828.tif 000018
【図１７】
2020121828.tif 000019
【図１８】
2020121828.tif 000020
【図１９】
2020121828.tif 000021
【図２０】
2020121828.tif 000022
【図２１】
2020121828.tif 000023
【図２２】
2020121828.tif 000024
【図２３】
2020121828.tif 000025
【図２４】
2020121828.tif 000026
【図２５】
2020121828.tif 000027
【図２６】
2020121828.tif 000028
【図２７】
2020121828.tif 000029
【図２８】
2020121828.tif 000030
【図２９】
2020121828.tif 000031
【図３０】
2020121828.tif 000032
【図３１】
2020121828.tif 000033
【図３２】
2020121828.tif 000034
【図３３】
2020121828.tif 000035
【図３４】
2020121828.tif 000036
【図３５】
2020121828.tif 000037
【図３６】
2020121828.tif 000038
【図３７】
2020121828.tif 000039
【図３８】
2020121828.tif 000040
【図３９】
2020121828.tif 000041
【図４０】
2020121828.tif 000042
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
棚に設置される表示パネルと、
前記表示パネルの表示内容を制御する制御装置とを備え、
前記制御装置は、店員向けの表示内容と顧客向けの表示内容とを切り替えて前記表示パネルに表示させるシステム。
【請求項２】
請求項１に記載のシステムにおいて、
前記店員向けの表示内容は、前記棚における商品の配置の変更を示す変更情報を含むシステム。
【請求項３】
請求項２に記載のシステムにおいて、
前記制御装置は、前記商品の配置の変更前の第１陳列データと、前記商品の配置の変更後の第２陳列データとに基づいて、前記店員向けの表示内容を示す表示データを生成するシステム。
【請求項４】
請求項２または３に記載のシステムにおいて、
前記制御装置は、店員の作業内容が切り替わることを示す切り替え情報に基づいて前記変更情報を切り替えるシステム。
【請求項５】
請求項４に記載のシステムにおいて、
前記切り替え情報は、店員用端末への入力に基づく情報であるシステム。
【請求項６】
請求項４に記載のシステムにおいて、
前記商品には無線通信タグが取り付けられており、
前記棚には前記無線通信タグの読み取り手段が設けられており、
前記切り替え情報は、前記読み取り手段の読み取り結果に基づく情報であるシステム。
【請求項７】
請求項４から６のいずれか一項に記載のシステムにおいて、
前記制御装置は、前記作業内容の種類に基づいて、前記店員向けの表示内容の少なくとも一部の色を切り替えるシステム。
【請求項８】
棚に設置される表示パネルの表示内容を制御する制御装置であって、
店員向けの表示内容と顧客向けの表示内容とを切り替えて前記表示パネルに表示させる制御装置。
【請求項９】
棚に設置される表示パネルの表示内容を制御する制御装置を実現するためのコンピュータプログラムであって、
コンピュータを、店員向けの表示内容と顧客向けの表示内容とを切り替えて前記表示パネルに表示させる前記制御装置として機能させるコンピュータプログラム。
【請求項１０】
棚に設置される表示パネルの表示内容を制御する制御方法であって、
コンピュータが、店員向けの表示内容と顧客向けの表示内容とを切り替えて前記表示パネルに表示させる制御方法。
【国際調査報告】
2020121828.tif 000043
2020121828.tif 000044
2020121828.tif 000045
2020121828.tif 000046
2020121828.tif 000047